(57)【要約】【課題】  予め予定された立体創造物を組み上げることができ、いつでもどこでも遊ぶことができ、切断具が要らない立体創造物組み立て用ブロックセットを提供する。【解決手段】  組込用細筒ブロックと該組込用細筒ブロックを挿着できる組立用太筒ブロックとの少なくとも当該二種類の筒ブロックからなり、組立用太筒ブロックの空洞部或いは組立用太筒ブロックの側面に開口した組込穴に組込用細筒ブロックを挿着して予め予定された形状の立体創造物に組み立てる立体創造物組み立て用ブロックセットであって、前記立体創造物の各部位を構成するパーツの前記同じ種類の筒ブロック同士が、折り曲げることにより分離できる筒ブロック間境界に形成された接合手段によって繋がっている立体創造物組み立て用ブロックセット。【選択図】  図１
2007044259.tif 000002
【特許請求の範囲】
【請求項１】
組込用細筒ブロックと該組込用細筒ブロックを挿着できる組立用太筒ブロックとの少なくとも当該二種類の筒ブロックからなり、組立用太筒ブロックの空洞部或いは組立用太筒ブロックの側面に開口した組込穴に組込用細筒ブロックを挿着して予め予定された形状の立体創造物に組み立てる立体創造物組み立て用ブロックセットであって、前記立体創造物の各部位を構成する筒ブロックが、組み込まれる各部位の位置を特定できる状態で当該各部位に対応して分割形成されており、前記同じ種類の当該筒ブロック同士が折り曲げることにより分離できる筒ブロック間境界に形成された接合手段によって繋がっている立体創造物組み立て用ブロックセット。
【請求項２】
接合手段が、筒ブロックの外周を間欠に一周する切込みである請求項１記載の立体創造物組み立て用ブロックセット。
【請求項３】
組立用太筒ブロックの側面に開口した組込穴の位置によって立体創造物の各部位の位置を特定する請求項１又は請求項２記載の立体創造物組み立て用ブロックセット。
【請求項４】
筒ブロックの外周に印刷された色彩又は模様によって立体創造物の各部位の位置を特定する請求項１乃至請求項３のいずれかに記載の立体創造物組み立て用ブロックセット。
【発明の詳細な説明】
【技術分野】
【０００１】
本発明は、組込用細筒ブロックと該組込用細筒ブロックを挿着できる内形状を有する組立用太筒ブロックとの少なくとも当該二種類の筒ブロックからなり、組立用太筒ブロックの空洞部或いは組立用太筒ブロックの側面に開口した組込穴に組込用細筒ブロックを挿着して予め予定された形状の立体創造物に組み立てる立体創造物組み立て用ブロックセットに関するものである。
【背景技術】
【０００２】
周知の通り、一枚の厚紙に印刷された紙製人形の各パーツの展開図をハサミやカッター等でそれぞれ所定の形状に切り抜いてそれらを所定の形状に折り曲げることによりパーツを複数形成し、これらのパーツを連結金具で互いに可動に連結して予め予定された形状の紙製人形を組み立てる玩具が汎用されている（例えば、特許文献１参照）。
【０００３】
また、紙を円筒状に巻いて形成した所望長さの組込用細筒ブロックと、該組込用細筒ブロックが挿着できる内径を有する紙を円筒状に巻いて形成した所望長さの組立用筒ブロックとを形成して子供が発想した立体創造物を組み立てる立体創造物組み立て用ブロックセットが提案されている（特許文献２）。
【０００４】
【特許文献１】特開２００４−７７４
【特許文献２】特開２００４−４３５
【発明の開示】
【発明が解決しようとする課題】
【０００５】
本発明は、組込用細筒ブロックと該組込用細筒ブロックを挿着できる組立用太筒ブロックとの少なくとも当該二種類の筒ブロックを用いて予め予定された形状に組み上げる立体創造物組み立て用ブロックセットであって、当該立体創造物をその各部位を構成する各筒ブロックのパーツに分割し、折り曲げることにより分離できる筒ブロック間境界に形成した接合手段によって当該各筒ブロックを所望数連結して提供し、組み立てに際してハサミ等の切断具を必要としないようにしたものである。
【課題を解決するための手段】
【０００６】
前記技術的課題は、次の通りの本発明によって解決できる。
【０００７】
即ち、本発明に係る立体創造物組み立て用ブロックセットは、組込用細筒ブロックと該組込用細筒ブロックを挿着できる組立用太筒ブロックとの少なくとも当該二種類の筒ブロックからなり、組立用太筒ブロックの空洞部或いは組立用太筒ブロックの側面に開口した組込穴に組込用細筒ブロックを挿着して予め予定された形状の立体創造物に組み立てる立体創造物組み立て用ブロックセットであって、前記立体創造物の各部位を構成する筒ブロックが、組み込まれる各部位の位置を特定できる状態で当該各部位に対応して分割形成されており、前記同じ種類の当該筒ブロック同士が折り曲げることにより分離できる筒ブロック間境界に形成された接合手段によって繋がっているものである。
【０００８】
また、本発明は、前記立体創造物組み立て用ブロックセットにおいて、接合手段を、筒ブロックの外周を間欠に一周する切込みとしたものである。
【０００９】
また、本発明は、前記いずれかの立体創造物組み立て用ブロックセットにおいて、組立用太筒ブロックの側面に開口した組込穴の位置によって立体創造物の各部位の位置を特定するものである。
【００１０】
さらに、本発明は、前記いずれかの立体創造物組み立て用ブロックセットにおいて、筒ブロックの外周に印刷された色彩又は模様によって立体創造物の各部位の位置を特定するものである。
【発明の効果】
【００１１】
本発明によれば、立体創造物組み立て用ブロックセットのみで予め予定された立体創造物を組み上げることができるので、いつでもどこでも遊ぶことができ、切断具などの刃物を使用しないので、安全な組立玩具を提供できる。
【発明を実施するための最良の形態】
【００１２】
以下、本発明の実施の形態を図面に基づき説明する。
【００１３】
実施の形態１．
【００１４】
図１は本実施の形態に係る立体創造物組み立て用ブロックセットで組み上げたパイプロボットの斜視図、図２は図１に示すパイプロボットを背後から図示した斜視図、図３は図１に図示するパイプロボットを組み上げる立体創造物組み立て用ブロックセットの平面図であり、１は予め予定された形状に組み立てたパイプロボット（立体創造物）であり、パイプロボット１は円筒状組込用細筒ブロック（以下、「細筒ブロック」ともいう。）２と該細筒ブロック２を挿着できる内径（内形状）を有する円筒状組立用太筒ブロック（以下、「太筒ブロック」ともいう。）３との少なくとも当該二種類の筒ブロックのパーツから構成されており、太筒ブロック３の空洞部４或いは太筒ブロック３の側面に開口した組込穴５に細筒ブロック２を挿着して予め予定された形状のパイプロボット１に組み上げられている。
【００１５】
前記パイプロボット１の各部位を構成するパーツの筒ブロックは、同じ種類の筒ブロック同士、即ち、細筒ブロック２は細筒ブロック２同士、太筒ブロック３は太筒ブロック３同士で連結され、筒ブロックの外周を間欠に一周してその筒ブロック間境界に形成された、折り曲げることにより分離できる切込み（接合手段）６によって一体に繋がっており、立体創造物組み立て用ブロックセット７は、図３に示すように、前記各部位を構成する細筒ブロック２が複数本一体に繋がった細筒ブロック棒８と前記各部位を構成する太筒ブロック３が複数本一体に繋がった太筒ブロック棒９とによって構成されている。
【００１６】
前記各細筒ブロック２と前記各太筒ブロック３とは、組み込まれるパイプロボット１の各部位の位置を特定できる長さや筒ブロックの外周に印刷された前記部位を特定する色彩又は描画を含む模様（総称して状態）によって当該各部位に対応して分割形成されており、太筒ブロック３では、その側面に、さらに、パイプロボット１の各部位の位置を特定する組込穴５が開口している。そして、太筒ブロック３とこれに挿着される細筒ブロック２との寸法関係は、両筒体の縦断面寸法が細筒ブロック２より太筒ブロック３が大きくなっている。
【００１７】
即ち、パイプロボット１においては、前記立体創造物組み立て用ブロックセット７が、図３に示すように、二本の細筒ブロック棒８と四本の太筒ブロック棒９とから構成されている。
【００１８】
前記第一太筒ブロック棒９ａ（９）は、中央の一方側面に目10が描画され、他方側面に歯11が描画され、筒ブロックパーツの両端側に細筒ブロック２が隙間なく挿着できる大きさ（細筒ブロック２の外径）の組込穴５が開口した上顎太筒ブロック３ａ（３）と、上顎太筒ブロック３ａと同じ長さに形成されて中央の一方側面に歯11が描画され、筒ブロックパーツの両端側に細筒ブロック２を挿着できる内径の前記組込穴５が開口した下顎太筒ブロック３ｂ（３）と、下顎太筒ブロック３ｂより長い長さで形成されて中央に肋骨を表現した格子状模様12が描画され、筒ブロックパーツの両端側に前記組込穴５が開口した胸太筒ブロック３ｃ（３）と、他のブロック棒の長さに合うように全体の長さを調整する所定の色に彩色された余太筒ブロック３ｄ（３）とからなり、前記上顎太筒ブロック３ａと前記下顎太筒ブロック３ｂとが筒ブロック間境界に形成された筒ブロックの外周を間欠に一周する切込み６によって接合状態で繋がり、下顎太筒ブロック３ｂと前記胸太筒ブロック３ｃとが筒ブロック間境界に形成された前記切込み６によって接合状態で繋がり、胸太筒ブロック３ｃと前記余太筒ブロック３ｄとが筒ブロック間境界に形成された前記切込み６によって接合状態で繋がって全体で一本になったものである。
【００１９】
前記第二太筒ブロック棒９ｂ（９）は、一方端側に寄せて前記組込穴５を一つ開けた短い長さの下側背骨太筒ブロック３ｅ（３）と、一方端側に寄せて前記組込穴５を並べて二つ開けた背骨太筒ブロック３ｅより長めの同じ色で彩色された上側背骨太筒ブロック３ｆ（３）と、一方端側に寄せて前記組込穴５を一つ開けた長めの一方の下肢太筒ブロック３ｇ（３）と、一方の下肢太筒ブロック３ｇと同じ形状・色彩の他方の下肢太筒ブロック３ｈ（３）と、他のブロック棒の長さに合うように調整する前記所定の色に彩色された余太筒ブロック３ｄ（３）とからなり、前記下側背骨太筒ブロック３ｅと前記上側背骨太筒ブロック３ｆとが筒ブロック間境界に形成された前記切込み６によって接合状態で繋がり、上側背骨太筒ブロック３ｆと前記一方の下肢太筒ブロック３ｇとが筒ブロック間境界に形成された前記切込み６によって接合状態で繋がり、一方の下肢太筒ブロック３ｇと前記他方の下肢太筒ブロック３ｈとが筒ブロック間境界に形成された前記切込み６によって接合状態で繋がり、下肢太筒ブロック３ｈと前記余太筒ブロック３ｄとが筒ブロック間境界に形成された前記切込み６によって接合状態で繋がって全体で一本になったのものである。
【００２０】
前記第三太筒ブロック棒９ｃ（９）は、前記下肢太筒ブロック３ｇ、３ｈより長めで同じ色に彩色され、一方端側に寄せて前記組込穴５が一つ開口していると共に、他端側に片寄せて筒を一周する一本の指示線13が描画された一方の長腕太筒ブロック３ｉ（３）と、一方端側に寄せて前記組込穴５が一つ開口して該組込穴５を含んで筒状に彩色した短い長さの一方の手側腕太筒ブロック３ｊ（３）と、一方の手側腕太筒ブロック３ｊと同じ形状・色彩の他方の手側腕太筒ブロック３ｋ（３）と、一方の長腕太筒ブロック３ｉと同じ形状・色彩の他方の長腕太筒ブロック３ｌ（３）と、他のブロック棒の長さに合うように調整する前記所定の色に彩色された余太筒ブロック３ｄ（３）とからなり、前記一方の長腕太筒ブロック３ｉと前記一方の手側腕太筒ブロック３ｊとが筒ブロック間境界に形成された前記切込み６によって接合状態で繋がり、一方の手側腕太筒ブロック３ｊと前記他方の手側腕太筒ブロック３ｋとが筒ブロック間境界に形成された前記切込み６によって接合状態で繋がり、他方の手側腕太筒ブロック３ｋと前記他方の長腕太筒ブロック３ｌとが筒ブロック間境界に形成された前記切込み６によって接合状態で繋がり、他方の長腕太筒ブロック３ｌと前記余太筒ブロック３ｄとが筒ブロック間境界に形成された前記切込み６によって接合状態で繋がって全体で一本になったものである。
【００２１】
前記第四太筒ブロック棒９ｄは、中央に爪先14が描画されて筒ブロックパーツの両端側に前記組込穴５が開口した一方の足太筒ブロック３ｍ（３）と、一方の足太筒ブロック３ｍ（３）と同じ形状・描画の他方の足太筒ブロック３ｎ（３）と、他のブロック棒の長さに合うように調整する前記所定の色に彩色された余太筒ブロック３ｄ（３）とからなり、前記一方の足太筒ブロック３ｍと前記他方の足太筒ブロック３ｎとが筒ブロック間境界に形成された前記切込み６によって接合状態で繋がり、他方の足太筒ブロック３ｎと前記余太筒ブロック３ｄとが筒ブロック間境界に形成された前記切込み６によって接合状態で繋がって全体で一本になっているのものである。
【００２２】
また、前記第一細筒ブロック棒８ａ（８）は、中央位置が色彩によって示された腰細筒ブロック２ａ（２）と、筒ブロックパーツの両端側が同じ色で彩色された耳細筒ブロック２ｂ（２）と、前記腰細筒ブロック２ａより十分に長い長さに形成された肩細筒ブロック２ｃ（２）と、前記一方の下肢太筒ブロック３ｇの空洞部４に挿入されて該下肢太筒ブロック３ｇと前記一方の足太筒ブロック３ｍとを繋ぐジョイントとして使用される一方の足ジョイント細筒ブロック２ｄ（２）と、前記他方の下肢太筒ブロック３ｈの空洞部４に挿入されて該下肢太筒ブロック３ｈと前記他方の足太筒ブロック３ｎとを繋ぐジョイントとして使用される、一方の足ジョイント細筒ブロック２ｄと同じ形状・色彩の他方の足ジョイント細筒ブロック２ｅ（２）と、他のブロック棒の長さに合うように調整する所定の色に彩色された余細筒ブロック２ｆ（２）とからなり、前記腰細筒ブロック２ａと前記耳細筒ブロック２ｂとが筒ブロック間境界に形成された前記切込み６によって接合状態で繋がり、耳細筒ブロック２ｂと前記肩細筒ブロック２ｃとが筒ブロック間境界に形成された前記切込み６によって接合状態で繋がり、肩細筒ブロック２ｃと前記一方の足ジョイント細筒ブロック２ｄとが筒ブロック間境界に形成された前記切込み６によって接合状態で繋がり、一方の足ジョイント細筒ブロック２ｄと前記他方の足ジョイント細筒ブロック２ｅとが筒ブロック間境界に形成された前記切込み６によって接合状態で繋がり、他方の足ジョイント細筒ブロック２ｅと前記余細筒ブロック２ｆとが筒ブロック間境界に形成された前記切込み６によって接合状態で繋がって全体で一本になっているものである。
【００２３】
前記第二細筒ブロック棒８ｂ（８）は、手を表す色で彩色された一方の手細筒ブロック２ｇ（２）と、一方の手細筒ブロック２ｇと同じ形状・色彩の他方の手細筒ブロック２ｈ（２）と、前記一方の長腕太筒ブロック３ｉの空洞部４と前記一方の手側腕太筒ブロック３ｊの空洞部４とに挿入されて長腕太筒ブロック３ｉと手側腕太筒ブロック３ｊとを繋ぐジョイントとして使用される一方の腕ジョイント細筒ブロック２ｉ（２）と、前記他方の長腕太筒ブロック３ｌの空洞部４と前記他方の手側腕太筒ブロック３ｋの空洞部４とに挿入されて長腕太筒ブロック３ｌと手側腕太筒ブロック３ｋとを繋ぐジョイントとして使用される、一方の腕ジョイント細筒ブロック２ｉと同じ形状・色彩の他方の腕ジョイント細筒ブロック２ｊ（２）と、前記上側背骨太筒ブロック３ｆの空洞部４と前記下側背骨太筒ブロック３ｅの空洞部４とに挿入されて上側背骨太筒ブロック３ｆと下側背骨太筒ブロック３ｅとを繋ぐジョイントとして使用される、腕ジョイント細筒ブロックより長く形成された背骨ジョイント細筒ブロック２ｋ（２）と、他のブロック棒の長さに合うように調整する所定の色に彩色された余細筒ブロック２ｆ（２）とからなり、前記一方の手細筒ブロック２ｇと前記他方の手細筒ブロック２ｈとが筒ブロック間境界に形成された前記切込み６によって接合状態で繋がり、他方の手細筒ブロック２ｈと前記一方の腕ジョイント細筒ブロック２ｉとが筒ブロック間境界に形成された前記切込み６によって接合状態で繋がり、一方の腕ジョイント細筒ブロック２ｉと前記他方の腕ジョイント細筒ブロック２ｊとが筒ブロック間境界に形成された前記切込み６によって接合状態で繋がり、他方の腕ジョイント細筒ブロック２ｊと前記背骨ジョイント細筒ブロック２ｋとが筒ブロック間境界に形成された前記切込み６によって接合状態で繋がり、背骨ジョイント細筒ブロック２ｋと前記余細筒ブロック２ｆとが筒ブロック間境界に形成された前記切込み６によって接合状態で繋がって全体で一本になっているものである。
【００２４】
次に、前記立体創造物組み立て用ブロックセット７によりパイプロボット１を組み立てる手順について説明する。
【００２５】
第一太筒ブロック棒９ａを手に取って上顎太筒ブロック３ａと下顎太筒ブロック３ｂとの間の境界に形成された切込み６で折り曲げて第一太筒ブロック棒９ａから上顎太筒ブロック３ａを分離し、下顎太筒ブロック３ｂと胸太筒ブロック３ｃとの間の境界に形成された切込み６で折り曲げて下顎太筒ブロック３ｂを分離し、胸太筒ブロック３ｃと前記余太筒ブロック３ｄとの間の境界に形成された切込み６で折り曲げて胸太筒ブロック３ｃを分離する。次に、上顎太筒ブロック３ａの組込穴５が重なるように上顎太筒ブロック３ａを平たくつぶし、両端側の組込穴５が背後に位置付けられて目10が前面に突き出すように対称に曲げる。次に、下顎太筒ブロック３ｂの組込穴５が重なるように下顎太筒ブロック３ｂを平たくつぶし、両端側の組込穴５が背後に位置付けられて歯11が前面に突き出すように対称に曲げる。
【００２６】
第二太筒ブロック棒９ｂを手に取って下側背骨太筒ブロック３ｅと上側背骨太筒ブロック３ｆとの間の境界に形成された切込み６で折り曲げて第二太筒ブロック棒９ｂから下側背骨太筒ブロック３ｅを分離し、上側背骨太筒ブロック３ｆと一方の下肢太筒ブロック３ｇとの間の境界に形成された切込み６で折り曲げて上側背骨太筒ブロック３ｆを分離し、一方の下肢太筒ブロック３ｇと他方の下肢太筒ブロック３ｈとの間の境界に形成された切込み６で折り曲げて一方の下肢太筒ブロック３ｇを分離し、他方の下肢太筒ブロック３ｈと余太筒ブロック３ｄとの間の境界に形成された切込み６で折り曲げて他方の下肢太筒ブロック３ｈを分離する。次に、第一細筒ブロック棒８ａを手に取って腰細筒ブロック２ａと耳細筒ブロック２ｂとの間の境界に形成された切込み６で折り曲げて第一細筒ブロック棒８ａから腰細筒ブロック２ａを分離し、耳細筒ブロック２ｂと肩細筒ブロック２ｃとの間の境界に形成された切込み６で折り曲げて耳細筒ブロック２ｂを分離し、肩細筒ブロック２ｃと一方の足ジョイント細筒ブロック２ｄとの間の境界に形成された切込み６で折り曲げて肩細筒ブロック２ｃを分離し、一方の足ジョイント細筒ブロック２ｄと他方の足ジョイント細筒ブロック２ｅとの間の境界に形成された切込み６で折り曲げて一方の足ジョイント細筒ブロック２ｄを分離し、他方の足ジョイント細筒ブロック２ｅと余細筒ブロック２ｆとの間の境界に形成された切込み６で折り曲げて他方の足ジョイント細筒ブロック２ｅを分離する。
【００２７】
第二太筒ブロック棒９ｂにおいて分離した上側背骨太筒ブロック３ｆの外側組込穴５に第一細筒ブロック棒８ａにおいて分離した耳細筒ブロック２ｂを通して当該組込穴５から耳細筒ブロック２ｂが均等に飛び出すように位置付ける。次に、前記曲げ形成した上顎太筒ブロック３ａを目10の位置が上側にくるように横向きに持ち、上側背骨太筒ブロック３ｆが下側に突き出た状態にて当該上顎太筒ブロック３ａの両側の各組込穴５へそれぞれ耳細筒ブロック２ｂの両端部を通して耳色部分が突き出た位置で固定する。次に、上側背骨太筒ブロック３ｆの内側組込穴５に肩細筒ブロック２ｃを通し、前記曲げ形成した下顎太筒ブロック３ｂの歯11の位置が上側にくるように横向きに持って肩細筒ブロック２ｃの一方端を下顎太筒ブロック３ｂの一方の組込穴５へに通す。次に、前記胸太筒ブロック３ｃの組込穴５が重なるように胸太筒ブロック３ｃを平たくつぶし、両端側の組込穴５が背後に位置付けられて格子状模様12が前面に突き出すように対称に曲げる。次に、格子状模様12がパイプロボット１の顔側に向くように下顎太筒ブロック３ｂを通した肩細筒ブロック２ｃの前記一方端に胸太筒ブロック３ｃの一方の組込穴５を通し、肩細筒ブロック２ｃの他方端が上側背骨太筒ブロック３ｆの内側組込穴５近くに来るまで該肩細筒ブロック２ｃを押し通した後、当該他方端を下顎太筒ブロック３ｂの他方の組込穴５へ通すと共に、胸太筒ブロック３ｃの他方の組込穴５へ通し、下顎太筒ブロック３ｂと胸太筒ブロック３ｃと肩細筒ブロック２ｃとを上側背骨太筒ブロック３ｆに対して均等配置する。
【００２８】
第三太筒ブロック棒９ｃを手に取って一方の長腕太筒ブロック３ｉと一方の手側腕太筒ブロック３ｊとの間の境界に形成された切込み６で折り曲げて第三太筒ブロック棒９ｃから一方の長腕太筒ブロック３ｉを分離し、一方の手側腕太筒ブロック３ｊと他方の手側腕太筒ブロック３ｋとの間の境界に形成された切込み６で折り曲げて一方の手側腕太筒ブロック３ｊを分離し、他方の手側腕太筒ブロック３ｋと他方の長腕太筒ブロック３ｌとの間の境界に形成された切込み６で折り曲げて他方の手側腕太筒ブロック３ｋを分離し、他方の長腕太筒ブロック３ｌと余太筒ブロック３ｄとの間の境界に形成された切込み６で折り曲げて他方の長腕太筒ブロック３ｌを分離する。次に、第二細筒ブロック棒８ｂを手に取って一方の手細筒ブロック２ｇと他方の手細筒ブロック２ｈとの間の境界に形成された切込み６で折り曲げて第二細筒ブロック棒８ｂから一方の手細筒ブロック２ｇを分離し、他方の手細筒ブロック２ｈと一方の腕ジョイント細筒ブロック２ｉとの間の境界に形成された切込み６で折り曲げて他方の手細筒ブロック２ｈを分離し、一方の腕ジョイント細筒ブロック２ｉと他方の腕ジョイント細筒ブロック２ｊとの間の境界に形成された切込み６で折り曲げて一方の腕ジョイント細筒ブロック２ｉを分離し、他方の腕ジョイント細筒ブロック２ｊと背骨ジョイント細筒ブロック２ｋとの間の境界に形成された切込み６で折り曲げて他方の腕ジョイント細筒ブロック２ｊを分離し、背骨ジョイント細筒ブロック２ｋと余細筒ブロック２ｆとの間の境界に形成された切込み６で折り曲げて背骨ジョイント細筒ブロック２ｋを分離する。
【００２９】
次に、第三太筒ブロック棒９ｃにおいて分離した一方の手側腕太筒ブロック３ｊの組込穴５に第二細筒ブロック棒８ｂにおいて分離した一方の手細筒ブロック２ｇを通して該手細筒ブロック２ｇの中央位置に一方の手側腕太筒ブロック３ｊを位置づけ、両側に突き出した一方の手細筒ブロック２ｇを平たくつぶした後、手細筒ブロック２ｇに印刷された指示線（図示せず。）に沿って短く突き出た方の一方の手側腕太筒ブロック３ｊに向かって曲げて左右対称の爪状に形成する。他方の手側腕太筒ブロック３ｋについても他方の手細筒ブロック２ｈを通して同様にパイプロボット１の手部分を形成する。次に、手側腕太筒ブロック３ｊ、３ｋの長く出た方の空洞部４、４へそれぞれ腕ジョイント細筒ブロック２ｉ、２ｊを差し込んだ後、手側腕太筒ブロック３ｊ、３ｋの空洞部４、４から突き出た腕ジョイント細筒ブロック２ｉ、２ｊをそれぞれ長腕太筒ブロック３ｉ、３ｌの指示線13、13が描画された側の空洞部４、４へ通して手側腕太筒ブロック３ｊ、３ｋと長腕太筒ブロック３ｉ、３ｌとをそれぞれ連結し、長腕太筒ブロック３ｉ、３ｌを指示線13、13に沿ってくの字状に曲げる。そして、長腕太筒ブロック３ｉ、３ｌの組込穴５、５に前記肩細筒ブロック２ｃの両側端をそれぞれ通してパイプロボット１の前側に向かって長腕太筒ブロック３ｉ、３ｌが凹状になるように前記肩細筒ブロック２ｃに長腕太筒ブロック３ｉ、３ｌを取り付ける。
【００３０】
次に、第二太筒ブロック棒９ｂにおいて分離した下側背骨太筒ブロック３ｅの組込穴５に第一細筒ブロック棒８ａにおいて分離した腰細筒ブロック２ａを通して該腰細筒ブロック２ａの中央位置に下側背骨太筒ブロック３ｅを位置づける。次に、第二太筒ブロック棒９ｂにおいて分離した下肢太筒ブロック３ｇ、３ｈの組込穴５、５に腰細筒ブロック２ａの両側端をそれぞれ通して腰細筒ブロック２ａに下肢太筒ブロック３ｇ、３ｈを取り付けてパイプロボット１の下半身を形成する。
【００３１】
第四太筒ブロック棒９ｄを手に取って一方の足太筒ブロック３ｍと他方の足太筒ブロック３ｎとの間の境界に形成された切込み６で折り曲げて第四太筒ブロック棒９ｄから一方の足太筒ブロック３ｍを分離し、他方の足太筒ブロック３ｎと余太筒ブロック３ｄとの間の境界に形成された切込み６で折り曲げて他方の足太筒ブロック３ｎを分離する。次に、一方の足太筒ブロック３ｍと他方の足太筒ブロック３ｎとにおいて、筒ブロックパーツの組込穴５が重なるように足太筒ブロック３ｍ、３ｎを平たくつぶし、両端側の組込穴５が背後に位置付けられて爪先14が前面に突き出すように印刷された指示線（図示せず。）に沿ってコ字状に曲げる。次に、第一細筒ブロック棒８ａにおいて分離した足ジョイント細筒ブロック２ｄ、２eをそれぞれ足太筒ブロック３ｍ、３ｎの両端側の組込穴５、５の通してパイプロボット１の足を形成する。
【００３２】
パイプロボット１の下半身を形成する下肢太筒ブロック３ｇ、３ｈの各下側空洞部４，４へそれぞれ前記パイプロボット１の足を形成する足ジョイント細筒ブロック２ｄ、２eを挿入する。そして、パイプロボット１の上半身を形成する上側背骨太筒ブロック３ｆの下側空洞部４へ第二細筒ブロック棒８ａにおいて分離した背骨ジョイント細筒ブロック２ｋを挿入し、上側背骨太筒ブロック３ｆから突き出した背骨ジョイント細筒ブロック２ｋをパイプロボット１の下半身を形成する下側背骨太筒ブロック３ｅの上側空洞部４へ挿入してパイプロボット１を組み上げる。
【００３３】
本実施の形態において、立体創造物組み立て用ブロックセット７を構成する各筒ブロック棒には余筒ブロックが設けられているが、当該余筒ブロックはなくても良い。また、立体創造物はロボットのような擬似人体形状のものの外、建物や空想上の動物体型であってもよい。また、接合手段は間欠に一周する切込み６の外、くさび状に一周する溝部であってもよい。この場合の筒ブロックの材質はプラスチックであれば接合手段で容易に折り曲げて筒ブロックを分離することができる。
【００３４】
本実施の形態では、筒ブロック棒を切込み６部分で折り曲げて筒ブロックパーツを分離する際に手にパキッと折れる折り曲げ感が伝わるので、組み立ての楽しみが増す効果がある。
【００３５】
実施の形態２
【００３６】
本実施の形態は前記実施の形態１における筒ブロック形状の変形例であり、図４及び図５は筒ブロックの斜視図である。
【００３７】
図４に示す筒ブロックは実施の形態１における円筒状筒ブロックに代えて角筒ブロックを使用した場合に例であり、15は外形、内形ともに矩形状の角筒ブロックパーツである。
【００３８】
図５に示す筒ブロックは筒の外形と挿着される筒ブロックの挿着部分が異なった形状となっている場合の例であり、16は円筒状に形成されて挿着側が矩形状となっている組込用筒ブロックである。
【００３９】
実施の形態３
【００４０】
本実施の形態は実施の形態１における円筒状筒ブロックの変形例であり、図６は筒ブロックとその接合手段を形成する紙シートの斜視図である。
【００４１】
紙シート17は長方形の紙の長辺片側に帯状に色彩及び模様が印刷されており、必要とする筒ブロックの長さ間隔を取って短辺に沿って短手方向に向かって一点鎖線の切込み線18が走っている。当該紙シート17を印刷面を外側にして無地部分から短手方向に向かって円筒状に巻けば、円筒状筒ブロック棒９ａ、９ｂ、９ｃ、９ｄ、８ａ、８ｂが得られ、筒を一周して走る切込み６が形成される。
【産業上の利用可能性】
【００４２】
本発明によれば、切断具などの刃物を使用しない安全な組立玩具の立体創造物組み立て用ブロックセットであるから、子供たちへ安心して提供できる。
【００４３】
従って、本発明の産業上利用性は非常に高いといえる。
【図面の簡単な説明】
【００４４】
【図１】本実施の形態に係る立体創造物組み立て用ブロックセットで組み上げたパイプロボットの斜視図である。
【図２】図１に示すパイプロボットを背後から図示した斜視図である。
【図３】図１に図示するパイプロボットを組み上げる立体創造物組み立て用ブロックセットの平面図である。
【図４】筒ブロックの斜視図である。
【図５】筒ブロックの斜視図である。
【図６】筒ブロックとその接合手段を形成する紙シートの斜視図である。
【符号の説明】
【００４５】
１  パイプロボット
２  円筒状組込用細筒ブロック（細筒ブロック、筒ブロック、筒ブロックパーツ）
３  円筒状組立用太筒ブロック（太筒ブロック、筒ブロック、筒ブロックパーツ）
４  空洞部
５  組込穴
６  切込み（接合手段）
７  立体創造物組み立て用ブロックセット
８  細筒ブロック棒
９  太筒ブロック棒
１０  目
１１  歯
１２  格子状模様
１３  指示線
１４  爪先
１５  角筒ブロックパーツ
１６  組込用筒ブロック
１７  紙シート
１８  切込み線
【図１】
2007044259.tif 000003
【図２】
2007044259.tif 000004
【図４】
2007044259.tif 000005
【図５】
2007044259.tif 000006
【図６】
2007044259.tif 000007
【図３】
2007044259.tif 000008